(57)【要約】【課題】腕を上げる動作がしやすく、かつ製造が容易でコストも低廉なつなぎ服を提供する【解決手段】上衣と下衣とが縫い合わされて一体化したつなぎ服において、上衣は、前袖１１の付け根部１２と前身頃１３との間に前まち部３１を備えるとともに、後袖１５の付け根部１６と後身頃１７との間に後まち部３３を備える。前まち部３１及び後まち部３３は、それぞれ肩上部Ｓを頂部とし下端部が底辺となるほぼ三角形状をなし、かつバイアスカットされてなる。【選択図】図４
0003223490.tif 000002
【実用新案登録請求の範囲】
【請求項１】
上衣と下衣とが縫い合わされて一体化したつなぎ服において、
前記上衣は、前袖の付け根部と前身頃との間に前まち部を備えるとともに、後袖の付け根部と後身頃との間に後まち部を備え、
前記前まち部及び前記後まち部は、それぞれ肩上部を頂部とし下端部が底辺となるほぼ三角形状をなし、かつバイアスカットされてなる、つなぎ服。
【請求項２】
前記前まち部及び前記後まち部は、前身頃と後身頃にそれぞれ立体縫製により縫い付けられてなる、請求項１に記載のつなぎ服。
【考案の詳細な説明】
【技術分野】
【０００１】
本考案は、上衣と下衣とが縫い合わされて一体化したつなぎ服、特に自動車整備工場等における作業服として使用するのに好適なつなぎ服に関する。
【背景技術】
【０００２】
上衣（上着）と下衣（ズボン）とが縫い合わされて一体化したつなぎ服は、安全性に優れ、また丈夫な布で作られているため、自動車整備工場等において作業用の衣服として広く使用されている。
しかし、作業用に適した素材に限定されるため、伸縮性は高くない。そして、上衣と下衣が一体化しているため、例えば、腕を上げる動作をするとき、下衣まで上げられたり、脇部分につっぱり感が生じ、腕を上げにくいという問題があった。
【０００３】
このようなつなぎ服の動作性を改善する技術として、特許文献１には、「強靭な天然繊維又は人工繊維の布地から形成され、上半身と下半身とが腰部で一体に連結されたツナギ作業着において、前記上半身は、袖部と脇の下部分に適宜幅でそれぞれ切り欠き部分を形成し、該切り欠き部分を被うように細目網状のメッシュを縫着し、肩部の左右個所には、肩部布の下地に適宜幅で切り欠き部分を形成し、該切り欠き部分を被う細目網状のメッシュを縫着して前記肩部布により前記メッシュの目隠しを行い、背中部の左右個所には、背中部布の下地に縦方向一直線に適宜幅で切り欠き部分を形成し、該切り欠き部分を被う細目網状のメッシュを縫着して前記背中部布により前記メッシュの目隠しをすると共に、前記下半身は、腿部の左右には、腿部布の下地に横方向一直線に適宜幅で切り欠き部分を形成し、該切り欠き部分を被う細目網状のメッシュを縫着し、折り返し部を形成して前記腿部布により前記メッシュの目隠しを行い、膝部の左右には、膝部布の下地に横方向一直線に適宜幅で切り欠き部分を形成し、該切り欠き部分を被う細目網状のメッシュを縫着し、折り返し部を形成して前記膝部布により前記メッシュの目隠しを行ったことを特徴とするツナギ作業着。」が記載されている。
しかし、構成が複雑であり、その製造に手間がかかり、コストもかかる。
【先行技術文献】
【特許文献】
【０００４】
【特許文献１】登録実用新案第３１０６２４２号公報
【考案の概要】
【考案が解決しようとする課題】
【０００５】
本考案は、前記背景技術における不都合を考慮してなされたもので、腕を上げる動作がしやすく、かつ製造が容易でコストも低廉なつなぎ服を提供することを課題とする。
【課題を解決するための手段】
【０００６】
（１）上衣と下衣とが縫い合わされて一体化したつなぎ服において、
前記上衣は、前袖の付け根部と前身頃との間に前まち部を備えるとともに、後袖の付け根部と後身頃との間に後まち部を備え、
前記前まち部及び前記後まち部は、それぞれ肩上部を頂部とし下端部が底辺となるほぼ三角形状をなし、かつバイアスカットされてなる、つなぎ服である。
（２）前記前まち部及び前記後まち部は、前身頃と後身頃にそれぞれ立体縫製により縫い付けられてなるつなぎ服である。
【考案の効果】
【０００７】
（１）上衣は、前袖の付け根部と前身頃との間に前まち部を備えるとともに、後袖の付け根部と後身頃との間に後まち部を備え、前記前まち部及び前記後まち部は、それぞれ肩上部を頂部とし下端部が底辺となるほぼ三角形状をなしているため、腕を上げる際、前まち部及び後まち部が余剰部として作用し、下衣が引っ張られることがなく、脇のつっぱり感がなく腕を上げやすい。
また、前まち部及び後まち部はバイアスカットされているため、該部分の布の伸縮性が向上し、腕の上げ下ろしのしやすさが向上する。
前まち部及び後まち部を袖と身頃との間に介在させるだけの簡素な構造であるため、製造もしやすく、コストも低廉ですむ。
（２）前まち部及び後まち部は、前身頃と後身頃にそれぞれ立体縫製により縫い付けられてなるため、まち部自体の伸びに余裕があり、腕の上げ下ろしがしやすい。
【図面の簡単な説明】
【０００８】
【図１】つなぎ服１の正面図である。
【図２】つなぎ服１の背面図である。
【図３】前まち部（左脇）３１及び後まち部（左脇）３３の正面図である。
【図４】前袖１１，後袖１５と、前身頃１３，後身頃１７との接合状態を展開状態で示す平面図である。
【考案を実施するための形態】
【０００９】
上衣１０と下衣２０とが縫い合わされて一体化したつなぎ服１において、上衣１０は、前袖１１の付け根部１２と前身頃１３との間に前まち部３１を備えるとともに、後袖１５の付け根部１６と後身頃１７との間に後まち部３３を備えた構成とした。
【実施例】
【００１０】
（全体構成）
つなぎ服１は、上衣（上着）１０と下衣（ズボン）２０とが縫い合わされて一体化されている。つなぎ服１のほぼ全体は、一般的な作業服に用いられる綿又は混紡（綿とポリエステルの混紡等）など、丈夫で破れにくい生地が用いられる。
上衣１０は、前身頃１３，後身頃１７と前袖１１，後袖１５とを有している。前身頃１３は、その衿部から胸部、ウエスト部２５を経て下衣２０の股部にかけてファスナー付きの前開きとなっており、つなぎ服１の着脱はこの前開き部分を開くことにより行われる。
【００１１】
ウエスト部２５は、下衣２０の最上部に位置し、また上衣１０と下衣２０の接続部分となる。ウエスト部２５の後身頃側は、帯状のゴム片を内装してシャーリング加工が施され、腰部のダブつきがないようになっている。
上衣１０の後身頃１７の両サイド、肩甲骨付近にはプリーツ１８がその折り線が上下方向となるように設けられ、肩が動かしやすいようになっている。
【００１２】
下衣２０の腰側には、ウエスト部２５に沿ってその下に、腰部中央部を含み両脇部近傍にかけて横長矩形状の伸縮素材部２７が設けられている。この横長矩形状の伸縮素材部２７によって、身体の前屈動作に追従して該伸縮素材部２７が伸長するため、前屈動作もしやすいようになっている。
【００１３】
（前まち部及び後まち部）
上衣１０は、前袖１１の付け根部１２と前身頃１３との間に前まち部３１を備えるとともに、後袖１５の付け根部１６と後身頃１７との間に後まち部３３を備えている。
前まち部３１及び後まち部３３は、それぞれ肩上部Ｓ（袖ぐりの上部）を頂部とし下端部が底辺となるほぼ三角形状をなしている。肩上部Ｓから底辺へ向かう２辺は曲線を含み形成されている。
【００１４】
前まち部３１及び後まち部３３は、バイアスカットされることにより形成されている。バイアスカットは、生地の縦と横の地の目に対して斜めにハサミを入れて裁断するカッティングである。図３に示すとおり、前まち部３１及び後まち部３３は、その底辺部を基準として、縦糸の方向が約４５°ずれるようにバイアスカットされている。図中、破線は縫い付けラインを示す。これにより、バイアスカットしない場合に比べて、腕を上げる際の伸縮性を持たせることができる。
図４は、前袖１１，後袖１５と、前まち部３１，後まち部３３と、前身頃１３，後身頃１７との接合状態を、展開状態で示す平面図である。
【００１５】
前まち部３１及び後まち部３３は、前身頃１３と後身頃１７に、それぞれ立体縫製により縫い付けられている。前まち部３１及び後まち部３３は、それぞれ平面裁断されているものであるが、前まち部３１及び後まち部３３の、前身頃１３及び後身頃１７への縫い付けラインは、前身頃１３及び後身頃１７の袖ぐり（アームホール）のラインと一致させずに、前まち部３１及び後まち部３３の各部分に立体的にたるみが出るように縫製されている。このため、まち部自体の伸びに余裕があり、腕の上げ下ろしがしやすい。
【符号の説明】
【００１６】
１  つなぎ服
１０  上衣
１１  前袖
１２  前袖の付け根部
１３  前身頃
１５  後袖
１６  後袖の付け根部
１７  後身頃
２０  下衣
２５  ウエスト部
３１  前まち部
３３  後まち部
Ｓ    肩上部
【図１】
0003223490.tif 000003
【図２】
0003223490.tif 000004
【図３】
0003223490.tif 000005
【図４】
0003223490.tif 000006